(57)【要約】　　　（修正有）【課題】受信画像の色調調整が容易かつ的確になされる化粧情報提供方法および化粧情報提供装置を実現する。【解決手段】画像データの送受信先２１を動的に確立する情報提供装置１２を用いて化粧情報を提供するに際して、予め基準色着色物３０を配布しておき、情報利用者２０の顔を撮った画像３３を情報提供装置１２にて受信して、その画像を情報提供側でディスプレイ１１に表示するとともに、その表示に際し画像中の基準色領域３３ｂを参照して色調調整を行うようにする。これにより、多数の情報利用者に設備更新等の負担を強いることなく、情報提供側で色調を適切に調整することが可能となる。【選択図】　　　　図２
2004030138.tif 000002
【特許請求の範囲】
【請求項１】
画像データの送受信先を動的に確立する情報提供装置を用いて化粧情報を提供する化粧情報提供方法であって、予め基準色着色物を配布しておき、情報利用者の顔を撮った画像を前記情報提供装置にて受信して、その画像を情報提供側で表示するとともに、その表示に際し画像中の基準色領域を参照して色調調整を行うことを特徴とする化粧情報提供方法。
【請求項２】
画像データの送受信先を動的に確立するデータ伝送手段と、これで受信した受信画像について基準色領域を抽出するとともにその基準色領域を参照して前記受信画像に色調調整を施して表示画像を生成する画像処理手段と、その表示画像を表示する表示手段と、多数の化粧情報を選択可能に保持した記憶手段と、前記化粧情報のうち選択されたものを前記受信画像の送信元に送信する返送手段とを備えている化粧情報提供装置。
【請求項３】
前記画像処理手段が、前記基準色領域の抽出に先だって化粧用品の形状抽出を行うものであることを特徴とする請求項２記載の化粧情報提供装置。
【請求項４】
前記画像処理手段が、前記基準色領域の配色を検出して復号処理を行うものであることを特徴とする請求項３記載の化粧情報提供装置。
【請求項５】
前記画像処理手段が、前記受信画像から印刷番号を抽出して読み取り、この印刷番号に基づいて前記色調調整の内容を変更するものであることを特徴とする請求項２乃至請求項４の何れかに記載された化粧情報提供装置。
【請求項６】
前記受信画像に加えて印刷番号も前記送信元から受信し、この印刷番号に基づいて前記色調調整の内容を変更するものであることを特徴とする請求項２乃至請求項４の何れかに記載された化粧情報提供装置。
【発明の詳細な説明】
【０００１】
【発明の属する技術分野】
この発明は、多くの利用者それぞれに適切な化粧情報を提供するための方法および装置に関し、詳しくは、画像データの送受による擬似的対面状態の下で提供情報を選択する技術に関する。
【０００２】
【従来の技術】
メイクアップアーティストを目指すような者であれば個々に最適な化粧情報を入手すべく高額の専門学校や化粧教室などに通うこともあるが、そうでない一般人は、大衆向け雑誌やテレビ番組で提供される化粧情報を利用することが多い。これは、安上がりであり、時間の制約も空間的な制約もないが、情報利用者は、皆、同一の情報しか得ることができない。一方、一般人でも、店頭や訪問での対面販売に臨めば、メイクアップアドバイザー等から各人向けの化粧情報を得ることができるが、情報の質等に関する疑念や、利用しづらい雰囲気もある。
【０００３】
他方、近年の携帯電話やインターネット等の発展により、伝言ばかりか静止画や動画なども、電話番号やメールアドレス等を指定して簡単に、希望の相手に送信することができるようになってきた。また、画像データ送受信先の端末となる携帯電話機やインターネット接続可能なパーソナルコンピュータ等の普及により、その利用者数も増加している。さらに、それらとの接続機能・通信機能を具えたサーバは、画像データの送受信先を動的に確立しうるものであり、そのようなデータ伝送手段を利用することにより、時空を超えて情報提供者から情報利用者へ画像付き情報を提供することができる。
【０００４】
【発明が解決しようとする課題】
そこで、化粧情報の提供についても、上述のサーバを情報提供装置として用いれば、直に対面しなくても情報提供者は情報利用者の顔などを確かめることが可能になるので、個々の情報利用者に適合した的確な化粧情報を提供できるようになると期待される。しかも、多数の利用者との対面状態が時空を超えて擬似的に実現されるので、例え人気があって忙しいメイクアップアーティスト等であっても、さほど無理なく、情報提供者を努められると考えられる。
【０００５】
しかしながら、化粧情報の提供に際しては、情報提供者が情報利用者それぞれの微妙な顔色まで把握できなければ適切な提供情報を選択することができないのに対し、普及品の携帯電話機やパーソナルコンピュータ等に付属しているカメラで撮った画像では、カメラ特性のバラツキが強く影響するばかりか、照明など周囲環境の影響も避けられないので、色調の不所望な変化が大きすぎる。このため、汎用のサーバをそのまま情報提供装置に採用したのでは、例え化粧情報を選択可能にしても、適切な選択を行うことが難しい。
【０００６】
そこで、一対多で画像を送受する状況下で、多数側に端末の改造や更新等を強いることなく、多数側から受信した画像に対し情報提供側で色調を適切に調整することができるよう、サーバでの色調調整手法を工夫することが技術的な課題となる。
この発明は、このような課題を解決するためになされたものであり、受信画像の色調調整が容易かつ的確になされる化粧情報提供方法および化粧情報提供装置を実現することを目的とする。
【０００７】
【課題を解決するための手段】
このような課題を解決するために発明された第１乃至第４の解決手段について、その構成および作用効果を以下に説明する。
【０００８】
［第１の解決手段］
第１の解決手段の化粧情報提供方法は、出願当初の請求項１に記載の如く、画像データの送受信先を動的に確立する情報提供装置を用いて化粧情報を提供する化粧情報提供方法であって、予め基準色着色物を有償で又は無償で配布しておき、情報利用者の顔を撮った画像を前記情報提供装置にて受信して、その画像を情報提供側で表示するとともに、その表示に際し画像中の基準色領域を参照して色調調整を行う、というものである。
【０００９】
また、第１の解決手段の化粧情報提供装置は、出願当初の請求項２に記載の如く、画像データの送受信先を動的に確立するデータ伝送手段と、これで受信した受信画像について基準色領域を抽出するとともにその基準色領域を参照して前記受信画像に色調調整を施して表示画像を生成する画像処理手段と、その表示画像を表示する表示手段と、多数の化粧情報を選択可能に保持した記憶手段と、前記化粧情報のうち選択されたものを前記受信画像の送信元に送信する返送手段とを備えたものである。
【００１０】
このような化粧情報提供装置を用いた化粧情報提供方法にあっては、情報利用者が、自分に適したアドバイスを受けるために顔を撮って情報提供者に画像送信するとき、基準色着色物も顔に添えて一緒に撮影する。そうすると、化粧情報提供装置によって受信画像に対し色調調整が施されて表示画像が生成され、それが表示される。その色調調整は受信画像中の基準色領域を参照して行われることから、画像送信元である各情報利用者のところで撮像特性や照明等にばらつきがあっても、基準色に関する既知データを利用して情報提供側だけで的確に色調が調整されるので、情報提供者は、居ながらにして、それぞれの利用者に適切な化粧情報を選出して返送することができる。
【００１１】
このように基準色着色物を配布して色調調整に利用するようにしたことにより、多数の情報利用者が既に所有している端末でも画像送信可能なものであればそれをそのまま使用しても、情報提供側で色調を適切に調整することが可能となり、化粧情報の提供が不都合なく行われることとなる。
したがって、この発明によれば、受信画像の色調調整が容易かつ的確になされる化粧情報提供方法および化粧情報提供装置を実現することができる。
【００１２】
［第２の解決手段］
第２の解決手段の化粧情報提供装置は、出願当初の請求項３に記載の如く、上記の第１解決手段の化粧情報提供装置であって、前記画像処理手段が、前記基準色領域の抽出に先だって化粧品容器等の化粧用品の形状抽出を行うようになっている、というものである。
【００１３】
このような第２の解決手段の化粧情報提供装置にあっては、基準色着色物として化粧品容器等が配布され、そのようにしても色調調整が適切に行われる。
このように基準色を化粧品容器等に着けたことで、基準色着色物が化粧の必需品となり、一緒の撮像がより自然に遂行されることとなる。しかも、化粧品容器等の形状に関する既知データや抽出データを利用して、基準色領域の抽出処理を簡単にすることができる。
したがって、この発明によれば、受信画像の色調調整が一層容易かつ的確になされる化粧情報提供装置を実現することができる。
【００１４】
［第３の解決手段］
第３の解決手段の化粧情報提供装置は、出願当初の請求項４に記載の如く、上記の第２の解決手段の化粧情報提供装置であって、前記画像処理手段が、前記基準色領域の配色を検出して復号処理を行うようになっている、というものである。
【００１５】
このような第３の解決手段の化粧情報提供装置にあっては、化粧用品に着ける配色を変えることで各化粧用品に符号を付すことができ、その符号が色調調整に付随して検知される。
これにより、色調調整時に、それに要する色情報に加えて、情報利用者の手にしている化粧品の種別などの付加情報も、化粧情報提供装置によって検知されるので、情報提供者はより多くの判断材料を入手しうることとなる。
したがって、この発明によれば、受信画像の色調調整が一層容易かつ的確になされるうえ更なる判断材料も利用可能な化粧情報提供装置を実現することができる。
【００１６】
［第４の解決手段］
第４の解決手段の化粧情報提供装置は、出願当初の請求項５に記載の如く、上記の第２，第３の解決手段の化粧情報提供装置であって、前記画像処理手段が、前記受信画像から印刷番号を抽出して読み取り、この印刷番号に基づいて前記色調調整の内容を変更するようになっている、というものである。
または、出願当初の請求項６に記載の如く、上記の第２，第３の解決手段の化粧情報提供装置であって、前記受信画像に加えて印刷番号も前記送信元から受信し、この印刷番号に基づいて前記色調調整の内容を変更するようになっている、というものである。
【００１７】
このような第４の解決手段の化粧情報提供装置にあっては、色調調整に際し、受信画像から印刷番号が読み取とられ、それに応じて色調調整の内容が変更される。または、受信して得た印刷番号に応じて色調調整の内容が変更される。
これにより、基準色着色物に基準色を印刷する際に基準色が多少ばらついても、それに対応して色調調整の内容が変更されるので、どの基準色着色物でも何時でも印刷状態に左右されることなく的確に色調調整が施されることとなる。
したがって、この発明によれば、受信画像の色調調整が常に容易かつ的確になされる化粧情報提供装置を実現することができる。
【００１８】
【発明の実施の形態】
このような解決手段で達成された本発明の化粧情報提供方法および装置について、これを実施するための具体的な形態を、以下の第１〜第４実施例により説明する。
図１に示した第１実施例、及び図２に示した第２実施例は、上述した第１の解決手段を具現化したものであり、図３，図４に示した第３実施例は、上述した第２，第３の解決手段を具現化したものであり、図５に示した第４実施例は、上述した第４の解決手段を具現化したものである。
【００１９】
【第１実施例】
本発明の化粧情報提供方法に用いる化粧情報提供装置の第１実施例について、その具体的な構成を、図面を引用して説明する。図１は、（ａ）がスターターキットの斜視図、（ｂ）が化粧情報提供装置等の概要構成図である。
【００２０】
スターターキット２は（図１（ａ）参照）、色の異なる化粧品を少量ずつと筆等の化粧用具とを並べて保持するパレット２ａ（化粧用品）に、赤・緑・青の３原色をほぼ等分に並べて印刷した一枚のキャリブレーションスタンダード２ｂ（色調調整紙、基準色着色物）を添付して、配布しやすいよう包装や箱等で纏めたものである。キャリブレーションスタンダード２ｂが使用説明書を兼ねる場合には、撮像の仕方や送信先のメールアドレス等が記載され、通信販売での購入申込書を兼ねる場合には葉書としても容易に利用できるよう裏面に宛先等が予め印刷されている。
【００２１】
化粧情報提供装置には、画像データの送受信先を動的に確立するためにインターネット接続可能なコンピュータからなるサーバ１２が採用され、これには、表示画像を表示するためにディスプレイ１１が付設され、多数の化粧情報を選択可能に保持したハードディスクが内蔵されている。サーバ１２は、インターネットを介して受信した受信画像について基準色領域を抽出し、それから、その基準色領域を参照して受信画像に色調調整を施して、表示画像を生成するようになっている。また、化粧情報のうちから何れかが選択されると、それを受信画像の送信元に送信するようにもプログラムされている。
【００２２】
このような化粧情報提供装置を用いた本発明の化粧情報提供方法および装置動作等について、図面を引用して説明する。図１は、（ａ）がスターターキットの斜視図、（ｂ）が化粧情報提供装置等の使用状態を示す模式図、（ｃ）が受信画像の例、（ｄ）が表示画像の例である。
【００２３】
化粧情報提供に際して、予め、即ち情報提供開始に先だって又は開始後でも以後の利用に備えて随時、キャリブレーションスタンダード２ｂの色調測定と、スターターキット２の配布とが行われる。色調測定にて得られた基準色の既知データはサーバ１２に入力されて後の色調調整に供される。具体的には、色調を（赤成分値，緑成分値，青成分値）からなるＲＧＢの組で表し、それぞれの成分値が“０”〜“２５５”に範囲に納まる場合、キャリブレーションスタンダード２ｂに標準光源を照射して色調測定を行うと、理想的な印刷状態であれば基準色の既知データとして、赤部分は（２５５，０，０）、緑部分は（０，２５５，０）、青部分は（０，０，２５５）といった値が得られる。
【００２４】
そうして色調の判明したキャリブレーションスタンダード２ｂを組み込んだスターターキット２は、大抵、店頭販売や自動販売機等を利用した有償譲渡にて、時には販売促進のための無償譲渡にて、ユーザー２０（情報利用者）に配布される。そして、インターネット接続可能な携帯電話機２１を用いて、ユーザー２０が自分の顔を撮った画像を指定のメールアドレス宛に送信し、それがサーバ１２（情報提供側）に届いて受信されると、その画像がディスプレイ１１に表示され、アドバイザー１０（情報提供者）がユーザー２０の顔を見ることができる状態になる。その際、サーバ１２の画像処理によって受信画像３に対しその中の基準色領域を参照して基準色の既知データとの比較に基づいて色調調整が施され、そうして出来上がった表示画像４が表示される。
【００２５】
具体的には、受信画像３について中心部の顔領域３ａから左下など所定部分を分けて、そこから基準色領域３ｂすなわちキャリブレーションスタンダード２ｂの像を抽出する。そして、受信画像３中の基準色領域３ｂにおける各色の色調が上述した基準色の既知データと一致していれば受信画像３をそのまま表示画像４とし、異なるときには差分を加減して一致させる。例えば、基準色領域３ｂの色調が赤部分（２００，０，０），緑部分（０，２０５，０），青部分（０，０，２１６）のとき、差分（５５，５０，３９）を加える。これにより、基準色領域４ｂの色調が既知データに一致する。同時に、受信画像３中の顔領域３ａも例えば顔色（１９７，１５０，５０）から適切な顔色（２５２，２００，８９）に調整され、これが表示画像４中の顔領域４ａの色となる。
【００２６】
こうして、ディスプレイ１１にユーザー２０の顔が適切な色で表示される。そして、それを見ればアドバイザー１０はユーザー２０の顔の特徴等を的確に把握することができる。そこで、アドバイザー１０は、ユーザー２０に最適と思われる化粧情報を選択して、サーバ１２に返送を指示する。そうすると、その化粧情報がサーバ１２から受信画像３の送信元の携帯電話機２１へ返送されるので、ユーザー２０は携帯電話機２１を使用してアドバイザー１０から自分向けの適切なアドバイスを得ることができる。
【００２７】
【第２実施例】
本発明の化粧情報提供方法に用いる化粧情報提供装置の第２実施例について、その具体的な構成を、図面を引用して説明する。図２は、（ａ）が化粧情報提供装置の概要構成図、（ｂ）が配布用ポケットティッシュの裏面、（ｃ）が撮影画像の一例、（ｄ）が情報提供装置によるデータ処理のフローチャートである。
【００２８】
この例では、情報提供者であるアドバイザー１０の使用する情報提供装置としてサーバ１２が採用されている（図２（ａ）参照）。これには、画像データの送受信先を動的に確立するデータ伝送手段として、多数の携帯電話機２１を相手に回線接続を自動で行う通信チャネル装置等が付設されている。また、表示画像を表示する表示手段として、カラー映像の見易いＣＲＴ等からなるディスプレイ１１が付設され、さらに、多数の化粧情報を保持する記憶手段として、大容量のハードディスク１３が付設されている。化粧情報は、例えばＭＰＥＧ規格等で圧縮された動画データからなり、キーワード検索等にて何れか一つ又は複数の候補が選択され、最終的には識別番号や見本画像の指定等にて一つに絞り込まれるようになっている。
【００２９】
また、サーバ１２は、ポケットティッシュ３０（図２（ｂ）参照）を持って撮った画像データ（図２（ｃ）参照）を携帯電話機２１から受信すると、その度に、画像処理とアンケート処理と返送処理を行うようにプログラムされている。すなわち（図２（ｄ）参照）、撮影画像３３をでータ伝送手段で受信すると、先ず、その受信画像３３を対象に公知のパターン認識等の手法を適用して、受信画像３３に含まれているポケットティッシュの裏紙像３３ｂのところから基準色領域を抽出する。ポケットティッシュ３０の裏面に印刷された基準色着色部３２の色やパターンは既知なので、色調変化が有っても極端に酷くなければ抽出できるようになっている。
【００３０】
それから、その基準色領域（３３ｂ）を参照して色調を検出する。明度や，彩度，色相などの色調を上述のように数値化する。そして、その検出値を用いて顔領域３３ａの色調調整を行う。具体的には、検出値と既知データとを比較しながら、差が無くなる又は十分に小さくなるまで、受信画像３３に色調調整を施こす。これによって出来上がった表示画像は、ディスプレイ１１に表示する。また、受信画像３３の送信元の携帯電話機２１に対してアンケートも行う。これは、予め作成してある問い合わせの音声や映像を送りながら年代や好みなど利用者情報を収集・蓄積するものであり、画像表示の後に行っても良いが、それより前に例えば画像受信の直後に行っても良く、上述した他の処理と並行して行っても良い。アンケートに対する答えや、その利用の諾否なども、ディスプレイ１１に表示するようになっている。
【００３１】
さらに、サーバ１２は、アドバイザー１０（情報利用者）がユーザー２０（情報利用者）の顔やアンケート結果を見て適切なアドバイスを与えることができるよう、図示しないキーボードやマウス等の操作にて検索指示が入力されると、ハードディスク１３に保持している多数の化粧情報のうちから該当する画像等を選択して確認表示も行う。そして、返送是認の入力がなされると、その化粧情報を受信画像３３の送信元の携帯電話機２１に対して送信する。その際、送受信相手の携帯電話機２１の機能に応じて、化粧情報を動画で送信したり、何枚かの静止画にして送信したり、文字情報も組み合わせたり、適宜なデータ加工も行うようになっている。
【００３２】
このような化粧情報提供装置を用いた本発明の化粧情報提供方法および装置動作等について、図面を引用して説明する。図２は、（ａ）が使用状態の模式図、（ｂ）が配布用ポケットティッシュの裏面、（ｃ）が撮影画像の一例である。
【００３３】
ポケットティッシュ３０の裏面には、基準色着色部３２に加えて、アドバイザー１０となる予定のメイクアップアーティストの名前や，サーバ１２の電話番号およびメールアドレス等の連絡先，顔の写し方などが説明図３１と共に記載されている。説明図３１には、ポケットティッシュ３０を手にしたメイクアップアーティストの顔が写されている。また、基準色着色部３２には、色調変化を検出しやすいよう３原色や白黒などが区分けして着色されている。このようなポケットティッシュ３０は予め量産して、各地の駅前や街頭で配布しておく。そして、アドバイザー１０を担当するメイクアップアーティストが交代でディスプレイ１１に臨む。
【００３４】
そこへ、ポケットティッシュ３０を貰って興味を持ったユーザー２０が説明図３１と同様のポーズで自分の顔を撮り、その画像データが携帯電話機２１で送信されサーバ１２によって受信されると、その画像がディスプレイ１１に表示される。その際、サーバ１２によって受信画像３３に対し基準色領域（３３ｂ）を参照しての色調調整が施されて、顔領域３３ａの色調からは携帯電話機２１の機差や環境の影響が取り除かれているので、表示画像を見ればアドバイザー１０はユーザー２０の顔の特徴等を的確に把握することができる。また、アンケート結果も次々と表示に加えられるので、アドバイザー１０は、痩せ形や色白といった顔の特徴に加えて、年代や好み等のデータも利用して、最適な化粧情報を絞り込み、サーバ１２に返送を指示する。
【００３５】
そうすると、その化粧情報がサーバ１２から受信画像３３の送信元の携帯電話機２１へ返送される。
こうして、擬似的対面状態の下で、ユーザー２０は携帯電話機２１を使用してアドバイザー１０から自分向けの適切なアドバイスを得ることができる。しかも、アドバイザー１０は、一人のユーザー２０に拘束されることが無いうえ、一回のアドバイスを短時間で処理することができるので、担当時間内により多くのユーザー２０に適切な化粧情報を提供することができる。
また、蓄積されたアンケート結果は、マーケットリサーチ等に役立つ。
【００３６】
【第３実施例】
本発明の化粧情報提供装置の第３実施例について、その具体的な構成を、図面を引用して説明する。図３は、情報提供装置によるデータ処理のフローチャートであり、図４は、（ａ）が配布用化粧品容器の斜視図、（ｂ）が情報利用状態の模式図、（ｃ）が利用者に提示される画像の一例である。
【００３７】
この化粧情報提供装置が上述した第２実施例のものと相違するのは、配布する基準色着色物がポケットティッシュ３０からサンプルセット４０に替わった点と、化粧情報の提供がインタラクティブに行える点である。
具体的には、サンプルセット４０には複数個の化粧品容器４１〜４３が含まれ（図４（ａ）参照）、それぞれに化粧品のサンプルが収容されるとともに、側周面等に基準色が着色されている。この基準色着色部４４は、縞状になっていて、その配色がサンプルによって異なっている。すなわち、サンプル番号・容器番号が色の並び順で符号化されている。
【００３８】
また、サーバ１２のプログラムが次のように改造されている（図３参照）。すなわち、画像データの送受信先と交信可能になると、例えばユーザー２０のパーソナルコンピュータ２２からブラウザプログラムを用いてインターネット経由でアクセスされると、サーバ１２は、サンプルセット４０のうち最初に使用する容器を持ったアーティストの画像を送信する（ステップＳ１）。その画像は上述した説明図３１に似ているが、手にしているのが化粧品容器４１になっている。
【００３９】
そして、その送信画像を見て真似しているユーザー２０をパーソナルコンピュータ２２のカメラで撮った画像がサーバ１２に送られて来るのを待って、ユーザーの画像を受信すると、受信画像を取り込んで（ステップＳ２）、その画像の中から容器形状を抽出する（ステップＳ３）。化粧品容器４１〜４３の形状は何れも既知であることから、公知のパターン認識手法で抽出可能なので、抽出できるまで繰り返す（ステップＳ２，Ｓ３）。容器像を抽出できたら、そのうちの基準色領域における配色を検出するとともにその色の並びに基づく復号処理を行ってサンプル番号・容器番号を求める（ステップＳ４）。それが送信画像に含まれていた化粧品容器と同じか否かを確認して（ステップＳ５）。同じになるまで例えば最初は化粧品容器４１であることが確認できるまで、画像取込から繰り返す（ステップＳ２〜Ｓ５）。その際、適当な案内やコメント等があればそれも送信するようになっている。
【００４０】
容器の確認ができたら、その商品説明たとえば特徴や使い方のビデオ映像などを送信するとともに（ステップＳ６）、それと並行して、顔の色調調整（ステップＳ７）や，ディスプレイ１１への表示（ステップＳ８），返送用アドバイス映像等の選択（ステップＳ９）を行う。そして、適当なタイミングで、送信内容を商品説明から返送映像に切り換える（ステップＳ１０）。それから、サンプルセット４０に未だ紹介していない次の化粧品容器が残っていれば（ステップＳ１１）、その容器を持った顧客の画像を送信する（ステップＳ１２）。その画像には、次の画像として、順に化粧品容器４２，４３が含められるとともに、顧客の画像として、直前に容器確認をした受信画像におけるユーザー２０の顔領域が画像合成処理等にて含められるようになっている。
【００４１】
さらに、サンプルセット４０に含まれる総ての化粧品容器４１〜４３について、その紹介とそれを用いた化粧方法のアドバイス等が済むまで、画像取込から繰り返す（ステップＳ２〜Ｓ１２）。
そして、それが済むと最後に、顧客すなわちユーザー２０の画像と購入案内とを合成した画像・映像を送信して（ステップＳ１３）、一人のユーザー２０に対する化粧情報提供処理を終了するようになっている。
【００４２】
この場合、サンプルセット４０には（図４（ａ）参照）、化粧品容器４１〜４３に加えて、メイクアップアーティスト名や，サーバ１２の連絡先，化粧品容器４１を手にしての顔の写し方などを記載した説明書も含められている。
そして、アドバイザー１０及びサーバ１２の待っているところへ、サンプルセット４０を入手したユーザー２０から（図４（ｂ）参照）、カメラ付きパーソナルコンピュータ２２にて撮った画像データが送られてくると、サーバ１２によって受信されてその画像がディスプレイ１１に表示される。その際、サーバ１２によって受信画像に対し基準色領域（４４）を参照しての色調調整が施されて、適切な顔色での表示がなされる。
【００４３】
また、使用する化粧品容器が切り替わる度に、商品説明と化粧情報提供とが繰り返されるうえ、パーソナルコンピュータ２２に誘導画像４５が表示され（図４（ｃ）参照）、その中の顔領域４５ａにユーザー２０本人の顔が映されるとともに、次に使用する化粧品容器の容器像４５ｂも映されるので、案内文４５ｃを読めば勿論のこと読むまでもなくユーザー２０は適切な行為をとることとなる。しかも、適切な化粧品容器を手にしているか否かの確認も自動で行われるので、アドバイザー１０は返送映像選択等のアドバイス作業に専念することができる。
【００４４】
【第４実施例】
本発明の第４実施例について、図面を引用して説明する。図５は、（ａ）が配布用キャリブレーションスタンダード、（ｂ）が配布用ポケットティッシュ、（ｃ）が配布用化粧品容器の斜視図、（ｄ）がハードディスクの記憶データの概要ブロック図である。
この化粧情報提供方法および化粧情報提供装置が上述した第１〜第３実施例のものと相違するのは、基準色に加えて印刷番号５０も印刷されている点と、それに対応してハードディスク１３にデータが追加され、サーバ１２のプログラムが一部改造されている点である。
【００４５】
印刷番号５０は、ＯＣＲフォント等の文字列や（図５（ａ），（ｂ）参照）、バーコード等の符号で（図５（ｃ）参照）、キャリブレーションスタンダード２ｂそのものに又は基準色着色部３２，４４と一緒に撮像しやすいところに印刷されている。印刷番号５０には一般に製造番号（図５（ａ）参照）やロット番号（図５（ｂ）参照）等が採用されるが、印刷番号５０は、印刷物または印刷組を識別可能であれば連続していなくても数字だけでなくても良い。すなわち、印刷番号５０は、配布用の基準色着色物に基準色を印刷するとき、ロット単位など印刷状態の揃った組ごとに異なる値が割り付けられ、ロット等の印刷組を識別しうるようになっている。
【００４６】
ハードディスク１３には（図５（ｄ）参照）、上述した化粧情報１４やその他の情報に加えて、色調補正表５１が記憶保持される。色調補正表５１には、複数・多数の補正表が含まれ、印刷番号５０に基づいて検索すると、対応する一つの補正表が選出されるようになっている。それぞれの補正表は、基準色領域を参照した色調調整に必要な基準色の既知データからなり、そのデータは、該当ロットから一枚または一個の基準色着色物を抜き出し、それに標準光源を照射して、その色調を測定したものであり、補正演算に使い易いよう配列等の表形式に纏められている。印刷のロットが切り替わる度に、印刷番号５０に新たな値が採用されるとともに、それに対応して新たな補正表も作成されるので、色調補正表５１は補正表を追加しうるようにもなっている。
【００４７】
サーバ１２は、受信画像から基準色領域を抽出するとき、それに加えて印刷番号５０の領域も抽出してその値を読み取る。そして、この印刷番号５０に基づいて色調調整の内容を変更するようになっている。その内容変更は、色調調整に用いる基準色の既知データを択一的に切り替えるようになっている。具体的には、受信画像から読み取った印刷番号５０をキーにして色調補正表５１の検索を行い、それで選出された補正表を基準色の既知データとして色調調整を行うようになっている。
【００４８】
この場合、配布されたキャリブレーションスタンダード２ｂや，ポケットティッシュ３０，化粧品容器４１には、基準色着色面の一部に又は基準色着色部３２，４４に加えて印刷番号５０も印刷され、それがユーザー２０の顔と共に撮像される。そして、情報提供側では、印刷番号５０に対応した補正表が選出され、それに基づいて最適の色調調整が行われる。
こうして、印刷のロット等によって基準色が変わってしまうのを、ロット管理等によって、サーバ側で補正することができる。しかも、ロット等の異なる基準色着色物が、地域的に入り交じって配布されていても、時期的に前後して用いられても、印刷番号での識別によって確実に而も自動的に、最適な補正が行われる。
【００４９】
さらに、このサーバ１２にあっては、携帯電話機２１等のカメラ解像度などに起因して印刷番号５０の自動読取ができない場合や、自動読取を使用したくない場合等も考慮して、電子メール等でも印刷番号５０を受信するようになっている。例えば、撮影画像を送ってきたメールの本文中に印刷番号５０が所定のデリミタ付きで含まれているときにはそれを抜き出して使用し、それが検出できないときには印刷番号５０のメール送信を促す催促メールを出すようになっている。
【００５０】
【その他】
なお、基準色着色物は、上述したキャリブレーションスタンダード２ｂや，ポケットティッシュ３０，サンプルセット４０に限られるものでなく、基準色を印刷や塗布等にて着けた配布可能な物であれば良い。例えば、化粧用品であるパレット２ａや筆を対象物としてその裏面や軸側周面などに着色・配色したものでも良い。化粧品や化粧用具などの化粧用品と一体になっていても良く、別体で組になっていても良く、単独であっても良い。
【００５１】
また、アドバイザー１０からユーザー２０へ送信するのは、予め記録した画像や映像の中から選出したものに限られる訳でなく、アドバイザー１０の生映像等でも良く、追加でも割込でも良い。
さらに、上述した第３実施例では化粧品容器の使用順序が固定されていたが、アドバイザー１０やユーザー２０による化粧品容器の使用順序や使用不使用などの変更を受け付けるようにしても良く、その方がより個性的な化粧情報を提供することができる。
【００５２】
【発明の効果】
以上の説明から明らかなように、本発明の第１の解決手段の化粧情報提供方法および装置にあっては、基準色着色物を配布して色調調整に利用するようにしたことにより、多数の情報利用者に設備更新等の負担を強いることなく、情報提供側で色調を適切に調整することが可能となり、その結果、受信画像の色調調整が容易かつ的確になされる化粧情報提供方法および化粧情報提供装置を実現することができたという有利な効果が有る。
【００５３】
また、本発明の第２の解決手段の化粧情報提供装置にあっては、基準色着色物と化粧用品との一体化を前提に色調調整が行われるようにしたことにより、受信画像の色調調整が一層容易かつ的確になされる化粧情報提供装置を実現することができたという有利な効果を奏する。
【００５４】
さらに、本発明の第３の解決手段の化粧情報提供装置にあっては、色調調整用の基準色に付加情報も持たせられるようにしたことにより、受信画像の色調調整が一層容易かつ的確になされるうえ更なる判断材料も利用可能な化粧情報提供装置を実現することができたという有利な効果が有る。
【００５５】
また、本発明の第４の解決手段の化粧情報提供装置にあっては、印刷番号まで把握できるようにしたことにより、基準色の変動にまで対処でき、その結果、受信画像の色調調整が常に容易かつ的確になされる化粧情報提供装置を実現することができたという有利な効果を奏する。
【図面の簡単な説明】
【図１】本発明の化粧情報提供方法および化粧情報提供装置の第１実施例について、（ａ）がスターターキットの斜視図、（ｂ）が化粧情報提供装置等の概要構成および使用状態を示す模式図、（ｃ）が受信画像の例、（ｄ）が表示画像の例である。
【図２】本発明の化粧情報提供方法および化粧情報提供装置の第２実施例について、（ａ）が化粧情報提供装置等の概要構成および使用状態を示す模式図、（ｂ）が配布用ポケットティッシュ、（ｃ）が画像例、（ｄ）が情報提供装置の処理のフローチャートである。
【図３】本発明の化粧情報提供方法および化粧情報提供装置の第３実施例について、情報提供装置の処理のフローチャートである。
【図４】（ａ）が配布用化粧品容器の斜視図、（ｂ）が情報利用状態の模式図、（ｃ）が画像例である。
【図５】本発明の化粧情報提供方法および化粧情報提供装置の第４実施例について、（ａ）が配布用キャリブレーションスタンダード、（ｂ）が配布用ポケットティッシュ、（ｃ）が配布用化粧品容器の斜視図、（ｄ）がハードディスクの記憶データの概要ブロック図である。
【符号の説明】
２　　スターターキット（商品、有償配布品）
２ａ　　　パレット（化粧用品）
２ｂ　　　キャリブレーションスタンダード（色調調整紙、基準色着色物）
３　　受信画像
３ａ　　　顔領域（ユーザーの顔の画像）
３ｂ　　　基準色領域（キャリブレーションスタンダードの画像）
４　　表示画像
４ａ　　　顔領域（ユーザーの顔の画像）
４ｂ　　　基準色領域（キャリブレーションスタンダードの画像）
１０　アドバイザー（アーティスト、情報提供者）
１１　　　ディスプレイ（画像表示装置、映像表示装置、表示手段）
１２　　　サーバ（データ伝送・画像処理・返送手段、情報提供装置）
１３　　　ハードディスク（記憶装置、化粧情報の記憶手段）
１４　　　化粧情報（返送用の画像等、返送用アドバイス映像等）
２０　ユーザー（情報利用者）
２１　　　携帯電話機（クライアント端末、画像データの送受信先）
２２　　　パーソナルコンピュータ（端末、画像データの送受信先）
３０　ポケットティッシュ（無償配布品、色調調整紙、基準色着色物）
３１　　　　説明図
３２　　　　基準色着色部
３３　撮影画像（情報利用者の顔を撮した画像、受信画像）
３３ａ　　　顔領域
３３ｂ　　　裏紙像（色調調整紙の画像、基準色領域）
４０　サンプルセット（化粧品見本、配布品、色調調整体、基準色着色物）
４１〜４３　化粧品容器（化粧用品）
４４　　　　基準色着色部（配色部）
４５　誘導画像（情報利用者の顔と容器との合成画像、送信画像）
４５ａ　　　顔領域
４５ｂ　　　容器像（基準色領域）
４５ｃ　　　案内文
５０　印刷番号（製造番号、ロット番号、印刷組番号）
５１　色調補正表（基準色の既知データ）
【図１】
2004030138.tif 000003
【図２】
2004030138.tif 000004
【図３】
2004030138.tif 000005
【図４】
2004030138.tif 000006
【図５】
2004030138.tif 000007